(57)【要約】【課題】搬送方向端部が折れている状態の通帳に対しても、磁気ストライプへの処理を行うことができる通帳処理装置を提供する。【解決手段】搬送路から外れた退避位置と、通帳２に設けられた磁気ストライプ２ａに対して所定の処理を行う処理位置との間を移動自在である磁気ヘッド９と、搬送路に、磁気ヘッド９が移動する方向に沿って形成された開口部１６を備え、磁気ヘッド９を退避位置に位置付けた状態で通帳２の搬送動作を開始し、通帳２の搬送方向後端部が開口部１６に到達する前に通帳２の搬送動作を停止させ、磁気ヘッド９を退避位置から通帳２に対向する位置へと移動させた後、磁気ヘッド９が通帳２の磁気ストライプ２ａに対して処理が可能となる位置まで更に通帳２を搬送し、磁気ヘッド９が通帳２の磁気ストライプ２ａに対して処理を行う制御部とを備えた。【選択図】図１
2007293387.tif 000002
【特許請求の範囲】
【請求項１】
媒体搬送路から外れた退避位置と、媒体に設けられた磁気情報部に対して所定の処理を行う処理位置との間を移動自在である磁気ヘッドと、
前記媒体搬送路に、前記磁気ヘッドが移動する方向に沿って形成された開口部を備え、
前記磁気ヘッドを前記退避位置に位置付けた状態で媒体の搬送動作を開始し、媒体の搬送方向後端部が前記開口部に到達する前に媒体の搬送動作を停止させ、前記磁気ヘッドを前記退避位置から媒体に対向する位置へと移動させた後、前記磁気ヘッドが媒体の磁気情報部に対して処理が可能となる位置まで更に媒体を搬送し、前記磁気ヘッドが媒体の磁気情報部に対して処理を行う制御部とを備えたことを特徴とする媒体処理装置。
【請求項２】
媒体搬送路から外れた退避位置と、媒体に設けられた磁気情報部に対して所定の処理を行う処理位置との間を移動自在である磁気ヘッドと、
前記媒体搬送路に、前記磁気ヘッドが移動する方向に沿って形成された開口部を備え、
前記磁気ヘッドを前記退避位置に位置付けた状態で媒体の搬送動作を開始し、媒体の搬送方向先端部が前記開口部を通過した後に媒体の搬送動作を停止させ、前記磁気ヘッドを前記退避位置から媒体に対向する位置へと移動させた後、前記磁気ヘッドが媒体の磁気情報部に対して処理が可能となる位置まで媒体を戻して、前記磁気ヘッドが媒体の磁気情報部に対して処理を行う制御部とを備えたことを特徴とする媒体処理装置。
【請求項３】
前記開口部を覆うシャッターを備え、
前記シャッターは、磁気ヘッドが前記退避位置に位置付けられた状態においては前記開口部を覆った状態であり、前記磁気ヘッドが前記退避位置から媒体に対向する位置へと移動する前に前記開口部から退避するよう処理する制御部とを備えた請求項１、又は請求項２記載の媒体処理装置。
【発明の詳細な説明】
【技術分野】
【０００１】
本発明は、媒体に設けられた磁気情報部に対して処理を行う媒体処理装置に関する。
【背景技術】
【０００２】
従来、金融機関等に設置されている通帳処理装置においては、挿入された通帳に設けられた磁気ストライプから、該磁気ストライプに記憶された顧客の口座番号等の磁気化情報を磁気ヘッドにより読み取り、その磁気化情報に基づいて種々の処理を実行している。また磁気ヘッドにより磁気ストライプに対して磁気化情報を書き込んでいる。
【０００３】
このような磁気ヘッドを備えた通帳処理装置において、通帳搬送路を構成する下側ガイドの一部に磁気ヘッドが移動する長穴が設けられているものがあり、磁気ヘッドはこの長穴に沿って移動すると共に、その移動動作により通帳搬送路内に突出して磁気ストライプに圧接し、原点位置では通帳搬送路より退避した位置で静止する（例えば、特許文献１参照。）。
【０００４】
また、通帳搬送路を構成するガイドに磁気ヘッドの移動経路に沿って開口部が形成されていると共に、該開口部を覆うシャッターが設けられている通帳処理装置があり、通帳の搬送時に開口部をシャッターで覆うことにより、通帳の搬送方向端部が開口部内に垂れ下がって引っ掛かり、スキュー、ジャム等が発生してしまうことを防止している。このような装置においては、装置内に通帳が挿入されると、該通帳を、磁気ヘッドが通帳に設けられた磁気ストライプから磁気化情報の読み取りを行う、あるいは磁気化情報の書き込みを行うことが可能な位置まで搬送し、そこで搬送動作を停止する。そしてシャッターを開口部から退避させて開口部を開放状態とした後、通帳搬送路から外れた退避位置に位置付けられている磁気ヘッドを、磁気ストライプへの処理開始位置へと移動させる。そして磁気ヘッドを磁気ストライプに対して圧接させて、移動させながら磁気ストライプから磁気化情報を読み取る、あるいは磁気化情報を書き込むといった所定の処理を行っている。
【特許文献１】特開２００２−３３８０８５号公報
【発明の開示】
【発明が解決しようとする課題】
【０００５】
上記従来の通帳処理装置においては、搬送方向端部が折れている（折れ癖が付いた）状態の通帳が装置内に挿入された場合、該通帳を、磁気ヘッドが通帳に設けられた磁気ストライプから情報の読み取りを行う、あるいは情報の書き込みを行うことが可能な位置まで搬送し、搬送動作を停止し、シャッターを開口部から退避させたときに、通帳の折れ方向によっては、折れている箇所が開口部内に垂れ下がってしまう場合があった。この状態で磁気ヘッドを退避位置から磁気ストライプへの処理開始位置へと移動させると、磁気ヘッドが、磁気ストライプへの処理開始位置に到達する前に通帳の垂れ下がった箇所にぶつかり、それ以上移動することができない場合があり、そのような場合には、磁気ストライプへの処理不可となり、そこで処理が停止してしまうという問題点があった。
【課題を解決するための手段】
【０００６】
上記課題を解決するために本発明で設けた解決手段は、媒体搬送路から外れた退避位置と、媒体に設けられた磁気情報部に対して所定の処理を行う処理位置との間を移動自在である磁気ヘッドと、前記媒体搬送路に、前記磁気ヘッドが移動する方向に沿って形成された開口部を備え、前記磁気ヘッドを前記退避位置に位置付けた状態で媒体の搬送動作を開始し、媒体の搬送方向後端部が前記開口部に到達する前に媒体の搬送動作を停止させ、前記磁気ヘッドを前記退避位置から媒体に対向する位置へと移動させた後、前記磁気ヘッドが媒体の磁気情報部に対して処理が可能となる位置まで更に媒体を搬送し、前記磁気ヘッドが媒体の磁気情報部に対して処理を行う制御部とを備えた媒体処理装置である。
【発明の効果】
【０００７】
本発明によれば、媒体の搬送方向後端部が前記開口部に到達する前に、磁気ヘッドを前記退避位置から媒体に対向する位置へと移動させる。よって、媒体の搬送方向端部が折れている場合であっても、該折れている箇所が開口部に到達する前に既に磁気ヘッドは退避位置から磁気ストライプへの処理開始位置へと移動しているので、媒体にぶつかることがない。従って、搬送方向端部が折れている状態の媒体に対しても、磁気ストライプへの処理を行うことができる。
【発明を実施するための最良の形態】
【０００８】
以下、本発明の実施例を図面に従って説明する。なお、各図面に共通する要素には同一の符号を付す。図１は実施の形態の通帳処理装置の一部の構成を示す平面図、図２は実施の形態の通帳処理装置の構成を示す説明図である。
【０００９】
始めに通帳処理装置の構成について説明する。
図２において、媒体処理装置である通帳処理装置１には、媒体である通帳２が挿入される挿入口であると共に、装置外部へと排出される通帳２の排出口となる挿入排出口３が形成されており、該挿入排出口３から装置後方に向かって、通帳２が搬送される搬送路４が形成されている。なお、搬送路４には通帳２を上下より挟持し、回転することにより通帳２を搬送路４に沿って移動させる搬送ローラ対８が複数設けられている。
【００１０】
そしてこの搬送路４に沿って、通帳２を検知する第１の通帳検知センサ１８と、通帳２に形成された磁気情報部である磁気ストライプ２ａから磁気化情報の読み取りを行う、あるいは磁気ストライプ２ａへの磁気化情報の書き込みを行う磁気ヘッド９と、通帳２を検知する第２の通帳検知センサ２６と、通帳２に付与されているページコード行や印字済み行を光学的に読み取る頁・行検出部２５と、印字ヘッド１０とプラテン１１と図示せぬインクリボンを備え、印字ヘッド１０が印字桁方向へのスペーシング動作を行いながら通帳２への印字処理を行う印字部５と、頁捲りローラ１２を備え、通帳の頁捲りを行う改頁部７が配置されている。また、通帳処理装置１には後述する制御部が設けられている。
【００１１】
図１において、通帳処理装置１には、前記搬送路４を形成する、平板状に形成されたガイドプレート１４が設けられている。このガイドプレート１４の一方の側端部には、搬送される通帳２の搬送方向を規制する走行基準面１４ａが形成されており、他方の側端部にはガイド面１４ｂが形成されている。なお、ガイド面１４ｂには通帳２を走行基準面１４ａ方向へと押圧する幅寄せプレート１５が図示せぬ機構により移動自在に設けられている。
【００１２】
磁気ヘッド９は図示せぬ磁気ヘッド移動機構に載置されており、磁気ヘッド９は通帳２に設けられた磁気ストライプ２ａに接触しながら通帳２の搬送方向と直交する方向に移動し、該磁気ストライプ２ａから磁気化情報の読み取り、及び磁気ストライプ２ａへの磁気化情報の書き込みといった所定の処理を行う。なお、磁気ヘッド９は、走行基準面１４ａとガイド面１４ｂに挟まれた通帳２の搬送路４から外れた位置である、図１に示す退避位置と、通帳２の磁気ストライプ２ａに対して前記所定の処理を行う処理位置との間とを移動自在となっている。また、磁気ヘッド９は退避位置から処理を行うために処理位置に移動する際に、一旦、通帳２に対向する位置である、すなわち磁気ストライプ２ａへの処理開始位置に位置付けられる。
【００１３】
なお、前記磁気ヘッド９の移動経路に対応する箇所のガイドプレート１４には、開口部１６が形成されており、磁気ヘッド９は開口部１６から突出して通帳２の磁気ストライプ２ａに接触する。なお、開口部１６には、該開口部１６を覆うシャッター１７が設けられており、通帳２の搬送時には、開口部１６をシャッター１７で覆うことにより、通帳２の搬送方向端部が開口部１６内に垂れ下がって引っ掛かり、スキュー、ジャム等が発生してしまうことを防止している。
【００１４】
また、磁気ヘッド９が退避位置と処理位置との間を移動する移動経路に対応する箇所の走行基準面１４ａは切り欠かれており、この切り欠きにより磁気ヘッド９が退避位置と、処理位置との間を移動する。
【００１５】
次に上記構成の通帳処理装置１の制御系について説明する。図３は実施の形態の通帳処理装置の制御系を示すブロック図である。
【００１６】
図３において、通帳処理装置１全体を制御する制御部１３にはシャッター駆動回路部１９と、第１のモータ駆動回路部２０と、第２のモータ駆動回路部２１と、第３のモータ駆動回路部２２と、第４のモータ駆動回路部２３と、第５のモータ駆動回路部２４と、第１の通帳検知センサ１８と、第２の通帳検知センサ２６と、頁・行検出部２５と、磁気ヘッド９と、印字ヘッド１０が接続されている。
【００１７】
シャッター駆動回路部１９は、シャッター１７を開閉動作させるシャッター駆動モータ２７と接続されており、シャッター１７の開閉を制御する。第１のモータ駆動回路部２０は、搬送ローラ対８を駆動する第１のモータ２８と接続されており、該搬送ローラ対８の回転を制御する。第２のモータ駆動回路部２１は、図示せぬ磁気ヘッド移動機構を駆動する第２のモータ２９と接続されており、磁気ヘッド９の移動を制御する。第３のモータ駆動回路部２２は、印字ヘッド１０が搭載された図示せぬキャリッジを駆動する第３のモータ３０と接続されており、印字ヘッド１０の移動を制御する。第４のモータ駆動回路部２３は、頁捲りローラ１２を駆動する第４のモータ３１と接続されており、該頁捲りローラ１２の回転を制御する。第５のモータ駆動回路部２４は、幅寄せプレート１５を駆動する第５のモータ３２と接続されており、該幅寄せプレート１５の移動を制御する。
【００１８】
第１の通帳検知センサ１８と、第２の通帳検知センサ２６は発光素子であるＬＥＤと、受光素子である受光センサと、ＬＥＤに接続された図示せぬ発光回路と、受光センサに接続された図示せぬ受光回路とから構成され、通帳２の検出を行っている。
【００１９】
このような第１の通帳検知センサ１８と、第２の通帳検知センサ２６においては、受光回路は受光センサから受光量に応じた値をアナログ値で受信し、該アナログ値をデジタル値に変換して制御部１３に対して送信する。制御部１３は受光回路から受光量として受信した数値を予め決められた規定値と比較し、該受光量として受信した数値が規定値以上であれば「明」状態である、すなわち通帳は存在していないと判断し、一方制御部１３は受光回路から受光量として受信した数値を予め決められた規定値と比較した際に、該受光量として受信した数値が規定値未満であれば挿入された通帳２により発光素子からの光が遮られて「暗」状態となっている、すなわち通帳２が存在していると判断する。
【００２０】
頁・行検出部２５は光学的に読み取ったページコード行や印字済み行を制御部１３に送信する。磁気ヘッド９は磁気ストライプ２ａから読み取った磁気化情報を制御部１３に送信し、また制御部１３から磁気化情報を受信し、該磁気化情報に、更に記憶させる情報を加えて磁気ストライプへ書き込む。印字ヘッド１０は制御部１３から取引情報を受信し、該取引情報を通帳に印字する。
【００２１】
次に上記構成における通帳処理装置１の動作について説明する。図４、図５、図６、図７は実施の形態の通帳処理装置の動作を示す説明図である。なお、通帳処理装置１が通帳２への処理を開始する前の待機状態の場合には、ガイドプレート１４の開口部１６はシャッター１７により覆われた状態となっている。また、磁気ヘッド９は図１に示す退避位置に位置付けられている。
【００２２】
図１、図２において、挿入排出口３より通帳２が挿入され、第１の通帳検知センサ１８のＬＥＤからの光が遮断されることにより、受光回路が制御部１３に対して送信する情報が変化する。これにより制御部１３は通帳２が挿入されたことを認識し、図示せぬ機構により搬送ローラ対８で通帳２を挟持、圧接する。次に制御部１３は第１のモータ駆動回路部２０を介して第１のモータ２８を正方向に所定パルス分駆動し、搬送ローラ対８を正方向に回転させて、通帳２を幅寄せプレート１５に対向する位置まで搬送し、その後、第１のモータ駆動回路部２０を介して第１のモータ２８の駆動を停止させて、通帳２の搬送を停止する。
【００２３】
次に制御部１３は第５のモータ駆動回路部２４を介して第５のモータ３２を駆動し、幅寄せプレート１５を図１に示す矢印Ａ方向に移動させて、通帳２の搬送基準端部を走行基準面１４ａに対して押圧することで、通帳２の傾きを矯正し、通帳２の搬送基準端部を走行基準面１４ａに対して密着させる。
【００２４】
次に制御部１３は、再び第１のモータ駆動回路部２０を介して第１のモータ２８を正方向に駆動し、搬送ローラ対８を正方向に回転させて、通帳２を搬送する。すると、通帳２の搬送方向先端部２ｂが第２の通帳検知センサ２６に到達し、第２の通帳検知センサ２６のＬＥＤからの光が遮断され、受光回路が制御部１３に対して送信する情報が変化する。これにより制御部１３は通帳２が基準地点まで到達したことを認識し、図示せぬカウンタのカウント値を「０」とし、第１のモータ２８に与えられるステップ数のカウントを開始する。そしてカウント値が所定値に達すると、制御部１３は第１のモータ駆動回路部２０を介して第１のモータ２８の駆動を停止させて、通帳２の搬送を停止する。
【００２５】
このとき、図４に示すように通帳２は、搬送方向後端部２ｃがガイドプレート１４の開口部１６に到達していない位置、すなわちシャッター１７が開状態となり、開口部１６から退避してしまっても、後端部２ｃが開口部１６内に垂れ下がらない位置で搬送が停止される。
【００２６】
次に制御部１３はシャッター駆動回路部１９を介してシャッター駆動モータ２７を駆動し、図５に示すようにシャッター１７を開状態とし、開口部１６から退避させる。続けて制御部１３は第２のモータ駆動回路部２１を介して第２のモータ２９を駆動し、図示せぬ磁気ヘッド移動機構を動作させて、退避位置に位置付けられている磁気ヘッド９を図６に示す通帳２に対向する位置、すなわち磁気ストライプ２ａへの処理開始位置に位置付ける。なお、この通帳２に対向する位置に位置付けられたとき、磁気ヘッド９は通帳２の下部に位置付けられ、通帳２を支持可能な状態となる。
【００２７】
続いて制御部１３は第１のモータ駆動回路部２０を介して第１のモータ２８を正方向に所定パルス分、すなわち磁気ストライプ２ａが磁気ヘッド９の読み取り・書き込み位置に対応する位置に到達するパルス分駆動して、第１のモータ２８の駆動を停止させ、通帳２の搬送を停止する。これにより図７に示すように磁気ストライプ２ａが磁気ヘッド９の読み取り・書き込み位置に対応する位置に到達する。
【００２８】
次に制御部１３は第２のモータ駆動回路部２１を介して第２のモータ２９を駆動し、磁気ヘッド移動機構を動作させる。これにより磁気ヘッド９は情報読み取り方向に移動しながら通帳２の磁気ストライプ２ａから磁気化情報を読み取る。なお、読み取った磁気化情報は制御部１３へと送信され、制御部１３は図示せぬホストコンピュータに磁気化情報を送信する。
【００２９】
次に制御部１３は第１のモータ駆動回路部２０を介して第１のモータ２８を正方向に駆動し、搬送ローラ対８を正方向に回転させて通帳２を、頁・行検出部２５へと搬送する。頁・行検出部２５は通帳２に設けられたページコードを読み取ると共に、印字済み行を検出し、制御部１３に送信する。制御部１３は受信した情報に基づき、開かれた通帳のページが処理ページであるか否かの確認を行うと共に、印字済み行に基づき印字開始行までの長さを認識し、印字開始行が印字ヘッド１０に対向する位置に位置付けられるまで通帳２を搬送する。更に制御部１３は印字ヘッド１０に対して、印字データを送信すると共に、印字指示を送信する。またそれと共に制御部１３は第３のモータ駆動回路部２２を介して第３のモータ３０を駆動し、図示せぬキャリッジを駆動して印字ヘッド１０の移動を制御する。これにより、搬送ローラ対８の回転により通帳２を搬送させて通帳２の改行動作を行いながら、印字部５で印字ヘッド１０により取引データの通帳２への印字を行う。
【００３０】
なお、印字途中で改頁を行う必要がある場合には、通帳２を改頁部７へと搬送し、第４のモータ駆動回路部２３を介して第４のモータ３１を駆動し、頁捲りローラ１２を回転させて頁捲りを行う。
【００３１】
なお、磁気ストライプ２ａからの磁気化情報の読み取りが終了すると、制御部１３は第２のモータ駆動回路部２１を介して第２のモータ２９を駆動し、図示せぬ磁気ヘッド移動機構を動作させて、搬送路４内に位置付けられている磁気ヘッド９を退避位置に移動させて位置付け、通帳２の搬送路４から磁気ヘッド９を退避させる。更に制御部１３はシャッター駆動回路部１９を介してシャッター駆動モータ２７を駆動し、シャッター１７を閉状態とし、開口部１６を覆う。
【００３２】
印字が終了すると、制御部１３は第１のモータ駆動回路部２０を介して第１のモータ２８を逆方向に駆動し、搬送ローラ対８を逆方向に回転させて、通帳２を搬送する。すると、通帳の搬送方向先端部２ｃが第２の通帳検知センサ２６に到達し、第２の通帳検知センサ２６のＬＥＤからの光が遮断され、受光回路が制御部１３に対して送信する情報が変化する。これにより制御部１３は通帳２が基準地点まで到達したことを認識し、図示せぬカウンタのカウント値を「０」とし、第１のモータ２８に与えられるステップ数のカウントを開始する。そしてカウント値が所定値に達すると、制御部１３は第１のモータ駆動回路部２０を介して第１のモータ２８の駆動を停止させて、通帳２の搬送を停止する。
【００３３】
このとき、図４に示すように通帳２は、搬送方向先端部２ｃがガイドプレート１４の開口部１６を通過した位置、すなわちシャッター１７が開状態となり、開口部１６から退避してしまっても、搬送方向先端部２ｃが開口部１６内に垂れ下がらない位置で搬送が停止される。
【００３４】
次に制御部１３はシャッター駆動回路部１９を介してシャッター駆動モータ２７を駆動し、図５に示すようにシャッター１７を開状態とし、開口部１６から退避させる。続けて制御部１３は第２のモータ駆動回路部２１を介して第２のモータ２９を駆動し、図示せぬ磁気ヘッド移動機構を動作させて、退避位置に位置付けられている磁気ヘッド９を図６に示す通帳２に対向する位置、すなわち磁気ストライプ２ａへの処理開始位置に位置付ける。なお、この通帳２に対向する位置に位置付けられたとき、磁気ヘッド９は通帳２の下部に位置付けられ、通帳２を支持可能な状態となる。
【００３５】
続いて制御部１３は第１のモータ駆動回路部２０を介して第１のモータ２８を正方向に所定パルス分、すなわち通帳２を通帳処理装置１後方へと戻して磁気ストライプ２ａが磁気ヘッド９の読み取り・書き込み位置に対応する位置に到達するパルス分駆動して、第１のモータ２８の駆動を停止させ、通帳２の搬送を停止する。これにより図７に示すように磁気ストライプ２ａが磁気ヘッド９の読み取り・書き込み位置に対応する位置に到達する。
【００３６】
次に制御部１３は磁気ヘッド９に対して、図示せぬホストコンピュータから受信した情報、及び更に記憶させる情報を送信すると共に、書き込み指示を送信する。またそれと共に制御部１３は第２のモータ駆動回路部２１を介して第２のモータ２９を駆動し、磁気ヘッド移動機構を動作させる。これにより磁気ヘッド９は情報書き込み方向に移動しながら通帳２の磁気ストライプ２ａに対して磁気化情報を書き込む。
【００３７】
次に制御部１３は第１のモータ駆動回路部２０を介して第１のモータ２８を逆方向に駆動し、搬送ローラ対８を逆方向に回転させて通帳２を、挿入排出口３へと搬送し、通帳処理装置１外へと排出する。
【００３８】
なお、顧客、あるいはオペレータにより通帳２が取り出されると、第１の検知センサ１８の、通帳２により遮断されていたＬＥＤからの光を、受光センサが受光することにより、受光回路が制御部１３に対して送信する情報が変化する。これにより制御部１３は通帳２が抜き取られたことを認識し、待機状態へと移行する。
【００３９】
なお、磁気ストライプ２ａへの磁気化情報の書き込みが終了すると、制御部１３は第２のモータ駆動回路部２１を介して第２のモータ２９を駆動し、図示せぬ磁気ヘッド移動機構を動作させて、処理位置に位置付けられている磁気ヘッド９を退避位置に位置付け、通帳２の搬送路４から磁気ヘッド９を退避させる。更に制御部１３はシャッター駆動回路部１９を介してシャッター駆動モータ２７を駆動し、シャッター１７を閉状態とし、開口部１６を覆う。
【００４０】
以上本発明の実施の形態においては、通帳２の搬送方向後端部が開口部１６に到達する前に、磁気ヘッド９を退避位置から通帳２に対向する位置へと移動させる。よって、通帳２の搬送方向端部が折れている場合であっても、該折れている箇所が開口部１６に到達する前に既に磁気ヘッド９は退避位置から磁気ストライプ２ａへの処理開始位置へと移動しているので、通帳２にぶつかることがない。従って、搬送方向端部が折れている状態の通帳２に対しても、磁気ストライプ２ａへの処理を行うことができる。
【００４１】
なお、本実施の形態においては、磁気ヘッド９が処理のために通帳２の搬送方向と直交する方向に移動する装置で説明したが、磁気ヘッド９が処理のために通帳２の搬送方向と平行な方向に移動する装置であっても、本発明は適用可能である。また、通帳２を取り扱う装置を例として説明したが、隅折れが起こり得る磁気媒体を取り扱う装置に本発明は適用可能である。
【図面の簡単な説明】
【００４２】
【図１】実施の形態の通帳処理装置の一部の構成を示す平面図である。
【図２】実施の形態の通帳処理装置の構成を示す説明図である。
【図３】実施の形態の通帳処理装置の制御系を示すブロック図である。
【図４】実施の形態の通帳処理装置の動作を示す説明図である。
【図５】実施の形態の通帳処理装置の動作を示す説明図である。
【図６】実施の形態の通帳処理装置の動作を示す説明図である。
【図７】実施の形態の通帳処理装置の動作を示す説明図である。
【符号の説明】
【００４３】
１  通帳処理装置
２  通帳
９  磁気ヘッド
１６  開口部
１７  シャッター
【図１】
2007293387.tif 000003
【図２】
2007293387.tif 000004
【図３】
2007293387.tif 000005
【図４】
2007293387.tif 000006
【図５】
2007293387.tif 000007
【図６】
2007293387.tif 000008
【図７】
2007293387.tif 000009